(57)【要約】【課題】本体の上面に電動工具を安定状態で一時置きできるようにする。【解決手段】集塵機において、本体３のカウリング４に、カウリング４の外形状に沿って全体が収まる収納位置と、カウリング４から側方へ突出して先端の上板１９が上向きとなる引き出し位置とに夫々任意に移動操作可能なフック１７を設けて、マルノコ３０のベース３１を、ベース３１の下方に突出した安全カバー３２を引き出し位置のフック１７の上板１９とカウリング４との間に収めた状態で、カウリング４の上面と上板１９の上端との間に跨って載置可能とした。【選択図】図５
2010119505.tif 000002
【特許請求の範囲】
【請求項１】
タンクの上方に、吸気ユニットを内設する本体を載置した集塵機であって、
前記本体のハウジングに、前記ハウジングの外形状に沿って全体が収まる収納位置と、前記ハウジングから側方へ突出して先端の係止部が上向きとなる引き出し位置とに夫々任意に移動操作可能なフックを設けたことを特徴とする集塵機。
【請求項２】
前記フックの係止部における前記ハウジング側の内面に、前記引き出し位置で上下方向となるリブを複数平行に突設したことを特徴とする請求項１に記載の集塵機。
【請求項３】
前記フックの係止部を、前記引き出し位置で前記ハウジングの上面よりも上方へ突出する長さとしたことを特徴とする請求項１又は２に記載の集塵機。
【請求項４】
前記ハウジングを上面が平坦な箱状として、前記フックを、下端が前記ハウジングの側面下部に上下方向へ回転可能に連結されて前記収納位置と引き出し位置との間で回転操作可能となるＬ字板としたことを特徴とする請求項１乃至３の何れかに記載の集塵機。
【発明の詳細な説明】
【技術分野】
【０００１】
本発明は、電動工具に接続して使用可能な集塵機に関する。
【背景技術】
【０００２】
集塵機は、吸込口を備えたタンクの上方を、モータ駆動する吸込ファンによって吸気ユニットを形成した本体で閉塞してなり、吸込ファンの回転により、吸込口に接続したホース等を介して外気をタンク内に吸引することで、本体とタンクの開口との間に設けたフィルタによって外気を濾過してタンク内に塵埃等を貯留可能となっている（例えば特許文献１参照）。このような集塵機は、吸込口に接続したホースにマルノコ等の電動工具を接続して、電動工具の使用と同時に運転させることで、電動工具で発生する切粉等を直接集塵可能とする使用形態もよく知られている。
【０００３】
【特許文献１】特公平３−６０２５６号公報
【発明の開示】
【発明が解決しようとする課題】
【０００４】
このように電動工具と同時に使用した場合、作業を中断等する際に電動工具を一時置きする場所として集塵機が利用されることがある。すなわち、本体の上面に電動工具が載置されるが、本体の上面は特許文献１の集塵機のように通常持ち運び用のハンドルが設けられて凹凸がある上、電動工具もマルノコのようにベースから安全カバーが突出したりして凹凸があるため、本体上に載置した際の電動工具の安定が悪く、集塵機から落下するおそれがあった。
【０００５】
そこで、本発明は、本体の上面に電動工具を安定状態で一時置きでき、使い勝手に優れる集塵機を提供することを目的としたものである。
【課題を解決するための手段】
【０００６】
上記目的を達成するために、請求項１に記載の発明は、本体のハウジングに、ハウジングの外形状に沿って全体が収まる収納位置と、ハウジングから側方へ突出して先端の係止部が上向きとなる引き出し位置とに夫々任意に移動操作可能なフックを設けたことを特徴とするものである。
請求項２に記載の発明は、請求項１の構成において、フックの耐久性を高めるために、フックの係止部におけるハウジング側の内面に、引き出し位置で上下方向となるリブを複数平行に突設したことを特徴とするものである。
請求項３に記載の発明は、請求項１又は２の構成において、一時置きした際の電動工具の落下をより効果的に防止するために、フックの係止部を、引き出し位置でハウジングの上面よりも上方へ突出する長さとしたことを特徴とするものである。
請求項４に記載の発明は、請求項１乃至３の何れかの構成において、移動操作が容易なフックを得るために、ハウジングを上面が平坦な箱状として、フックを、下端がハウジングの側面下部に上下方向へ回転可能に連結されて収納位置と引き出し位置との間で回転操作可能となるＬ字板としたことを特徴とするものである。
【発明の効果】
【０００７】
請求項１に記載の発明によれば、本体の上面に電動工具を安定状態で一時置きでき、使い勝手に優れる。また、ホースやコード等の係止にもフックが利用できるため、付属品の収納にも至便となる。
請求項２に記載の発明によれば、請求項１の効果に加えて、リブによってフックが補強されてフックの耐久性が高まる上、ホース等の係止時における位置ずれや外れの防止も期待できる。
請求項３に記載の発明によれば、請求項１又は２の効果に加えて、フックの係止部の高さ設定により、電動工具を外側が高くなる傾斜状に支持でき、一時置きした際に電動工具が本体から外側へ落下するおそれをより少なくすることができる。
請求項４に記載の発明によれば、請求項１乃至３の何れかの効果に加えて、収納位置と引き出し位置との間でのフックの移動操作を簡単に行うことができる。
【発明を実施するための最良の形態】
【０００８】
以下、本発明の実施の形態を図面に基づいて説明する。
図１は、集塵機の一例を示す縦断面図、図２は平面図で、集塵機１は、上面を開口して側面に図示しない吸込口を突設したタンク２の上方に、ハウジングとなるカウリング４内に吸気ユニット５を収容した本体３を載置してなる。吸気ユニット５は、タンク２の開口を閉塞して本体３を支持するタンクカバー６によって、タンク２の中央上方から吊り下げ支持されており、内部に、モータ７と、そのモータ７の駆動で回転する吸込ファン８とを内蔵している。また、タンクカバー６には、吸込ファン８の真下で吸気ユニット５の下面に開口する吸気口９，９・・が形成されている。１０は吸気ユニット５から本体３内に形成される送気路、１１はタンクカバー６とタンク２の開口との間に挟持され、吸込口と吸気ユニット５との間を遮断する袋形状で布製のフィルタ、１２，１２・・はタンク２の底面に設けられたキャスタである。
【０００９】
カウリング４は、上面が平坦な箱状を有しており、側面には、図３にも示すように、ダイヤル式の運転スイッチ１３や電動工具の電源コードを接続するキャップ付きの連動コンセント１４等が設けられている。また、カウリング４の上面中央には、コ字状のハンドル１５の両端が回転可能に連結されている。このハンドル１５は、カウリング４にハンドル１５の形状に合わせて凹設された凹部１６に嵌合してカウリング４の上面から突出しない収納位置（図１の実線位置）と、カウリング４の上面中央で起立する引き出し位置（図１の点線位置）との間で回転可能となっている。
【００１０】
そして、カウリング４における凹部１６形成側と反対側の側面には、フック１７が設けられている。このフック１７は、外面がカウリング４の側面形状に沿った湾曲形状の下板１８と、下板１８の先端縁に連設され、外面がカウリング４の上面と同じ平坦状となる係止部としての上板１９とからなるＬ字板で、下板１８及び上板１９の内面には、下板１８から上板１９への連設方向に、複数のリブ２０，２０・・が所定間隔をおいて平行に立設されている。
【００１１】
また、カウリング４の外面には、フック１７の形状に合わせた切除部２１が凹設されており、切除部２１の左右の内面には、下板１８の下端縁両側に設けたピン２２，２２の保持孔２３，２３が形成されている。よって、左右のピン２２，２２を保持孔２３，２３に夫々嵌入させることで、フック１７は、カウリング４側へ倒伏して全体が切除部２１内に収まる収納位置（図１の実線位置及び図３）と、カウリング４から側方へ突出して上板１９が上向きとなる引き出し位置（図１の点線位置及び図４）との間で回転可能となる。この引き出し位置では、リブ２０を含む上板１９の上端面は、カウリング４の上面と平行となり、且つ当該上面よりやや高い位置に保持される設定となっている。
【００１２】
２４は、上板１９の先端縁の中央に凹設される指掛け部で、これによってフック１７の収納位置から引き出し位置への回転操作を容易としている。
また、ハンドル１５を収容する凹部１６の底面と、フック１７を収容する切除部２１との底面とには、カウリング４を吸気ユニット５及びタンクカバー６へ組み付けるための取付ネジ２５，２５・・が夫々設けられているが、この取付ネジ２５は、収納位置のハンドル１５及びフック１７によって隠され、両者の引き出し位置で露出するようになっている。従って、修理の際等にカウリング４を取り外す必要があっても、取付ネジ２５を簡単に露出させて緩めることができ、ハンドル１５やフック１７を設けても修理性を損なうことはない。
【００１３】
以上の如く構成された集塵機１においては、運転スイッチ１３のＯＮ操作でモータ７が駆動して吸込ファン８が回転すると、タンク２の吸込口に接続したホース等を介して外気がタンク２内に吸引され、フィルタ１１を通過した後、吸気口９を通ってカウリング４内の送気路１０へ送られ、カウリング４に設けた図示しない排気口から排出される。この吸気の際、空気と共に吸い込まれる塵埃等がフィルタ１１で捕捉されてタンク２内に貯留することになる。よって、吸込口に接続したホースをマルノコ等の電動工具に接続すれば、電動工具の使用時に発生した切粉を飛散させることなくホースで直接集塵することができる。この集塵機１の使用時には、フック１７を収納位置に収めた状態としておけば、前述のようにフック１７が切除部２１内に収まってカウリング４から突出しないので、作業の邪魔になることがない。
【００１４】
そして、例えばマルノコを集塵機１に接続して作業を行った際に、作業を中断してマルノコを一時置きしたい場合は、図５に示すように、フック１７を引き出し位置に引き出し、その状態でマルノコ３０を、ベース３１の下方に突出した鋸刃を覆う安全カバー３２がフック１７の上板１９とカウリング４との間に収まる状態で、ベース３１をカウリング４の上面と上板１９とに跨って載置する。これにより、マルノコ３０を本体３の上面に一時置きできる。特にここでは、上板１９がカウリング４の上面よりも上方へ突出しているので、ベース３１は上板１９側が高くなる傾斜状となり、マルノコ３０が外側へ落下するおそれは少なくなる。但し、マルノコ３０の種類によっては、図６のように、安全カバー３２をカウリング４側に寄せてベース３１の大部分をカウリング４の上面に載せるようにしてもよい。
【００１５】
一方、マルノコ等の電動工具の一時置きに限らず、図７に示すように、ホース３３の端部やノズル等の付属品をフック１７の上板１９とカウリング４との間に係止させることもできる。このようにすれば、吸込口に接続したまま集塵機１の外周に巻き付けたホース３３の端部をフック１７によって保持でき、ホース３３がばらけることがなくなる。特に、フック１７への係止状態では、上板１９のリブ２０がホース３３の蛇腹に係止してずれを抑えるので、係止時の信頼性も高くなる。勿論ホースに限らず、集塵機１や電動工具の電源コードを輪状に束ねてフック１７に係止させたりすることもできる。
【００１６】
このように、上記形態の集塵機１によれば、本体３のカウリング４に、カウリング４の外形状に沿って全体が収まる収納位置と、カウリング４から側方へ突出して先端の上板１９が上向きとなる引き出し位置とに夫々任意に移動操作可能なフック１７を設けたことで、本体３の上面に電動工具を安定状態で一時置きでき、使い勝手に優れる。また、ホースやコード等の係止にもフック１７が利用できる。さらに、収納位置では内部に付属品の収納が可能となり、至便である。
【００１７】
特にここでは、フック１７の上板１９におけるカウリング４側の内面に、引き出し位置で上下方向となるリブ２０を複数平行に突設したことで、フック１７が補強されてフック１７の耐久性が高まる上、ホース３３等の係止時における位置ずれや外れの防止も期待できる。
また、フック１７の上板１９を、引き出し位置でカウリング４の上面よりも上方へ突出する長さとしたことで、マルノコ３０を外側が高くなる傾斜状に支持でき、マルノコ３０が本体３から外側へ落下するおそれをより少なくすることができる。
【００１８】
さらに、カウリング４を上面が平坦な箱状として、フック１７を、下端がカウリング４の側面下部に上下方向へ回転可能に連結されて収納位置と引き出し位置との間で回転操作可能となるＬ字板としたことで、収納位置と引き出し位置との間でのフック１７の移動操作を簡単に行うことができる。
【００１９】
なお、フックは上記形態に限らず、リブを省略して肉厚としたり、軸着するピンをカウリング側に設けてフックに設けた保持孔に嵌入させたり等、適宜設計変更可能である。また、上記形態では下板と上板とからなるＬ字板となっているが、一対のＬ字棒を中央で連結したＨ状とする等、引き出し位置での電動工具の安定支持が可能であれば、上記形態に限らず、ハウジングの形状等に合わせて変更すればよい。さらに、フックは一つに限らず、複数設けることも可能である。
【図面の簡単な説明】
【００２０】
【図１】集塵機の縦断面図である。
【図２】集塵機の平面図である。
【図３】本体部分の斜視図である（フックは収納位置）。
【図４】本体部分の斜視図である（フックは引き出し位置）。
【図５】マルノコを一時置きした状態を示す斜視図である。
【図６】マルノコを一時置きした状態を示す斜視図である。
【図７】フックにホースを係止した状態を示す斜視図である。
【符号の説明】
【００２１】
１・・集塵機、２・・タンク、３・・本体、４・・カウリング、５・・吸気ユニット、７・・モータ、８・・吸込ファン、１５・・ハンドル、１６・・凹部、１７・・フック、１８・・下板、１９・・上板、２０・・リブ、２１・・切除部、３０・・マルノコ。
【図１】
2010119505.tif 000003
【図２】
2010119505.tif 000004
【図３】
2010119505.tif 000005
【図４】
2010119505.tif 000006
【図５】
2010119505.tif 000007
【図６】
2010119505.tif 000008
【図７】
2010119505.tif 000009